(57)【特許請求の範囲】
【請求項１】
鉄塔に設けられた荷吊り用プレートであって鉄板から成り貫通孔を有するものに取り付け可能な測量ターゲット器具であって、
基部と、挿入部と、保持部材と、磁石と、ターゲットとを有し、
前記基部は把持部を有し、
前記挿入部は前記貫通孔に嵌合可能な径を有して前記基部に設けられ、
前記保持部材は前記挿入部を前記貫通孔に嵌合したとき前記荷吊り用プレートの縁部を弾力により着脱可能に押さえるよう前記基部に取り付けられ、
前記磁石は前記挿入部を前記貫通孔に嵌合して前記荷吊り用プレートの縁部を前記保持部材で押さえたとき前記荷吊り用プレートに吸着するよう前記基部の前記挿入部と前記保持部材との間に設けられ、
前記ターゲットは前記基部に設けられていることを、
特徴とする測量ターゲット器具。
【請求項２】
２本の鉄製のアームの各一端側を接合し、各他端側を開いて成る電線支持部を有する鉄塔に取付け可能な測量器具取付装置であって、
基板と、２つのガイド板と、磁石と、取付部とを有し、
各ガイド板は前記基板の取付面に垂直の状態で前記取付面に沿って回転可能に設けられ、
前記磁石は各ガイド板の外側面に設けられ、
前記取付部は測量ターゲット器具を取り付け可能に前記基板に設けられていることを、
特徴とする測量器具取付装置。
【請求項３】
２本の鉄製のアームの各一端側を接合し、各他端側を開いて成る電線支持部を有する鉄塔に取付け可能な測量器具取付装置であって、
基板と、２つのガイド板と、連結部材と、磁石と、取付部とを有し、
各ガイド板は前記基板の取付面に垂直の状態で前記取付面に沿って回転可能に設けられ、
前記連結部材は前記取付面に平行に伸び、各ガイド板の回転中心から互いに反対方向に等距離となる位置で各ガイド板を互いに平行に配置可能な間隔をあけて各ガイド板に回転可能に取り付けられ、
前記磁石は各ガイド板の外側面に設けられ、
前記取付部は測量ターゲット器具を取り付け可能に前記基板に設けられていることを、
特徴とする測量器具取付装置。
【請求項４】
請求項１記載の測量ターゲット器具を有し、前記取付部は取付用貫通孔を有し、前記挿入部は前記取付用貫通孔に嵌合されて、前記測量ターゲット器具が前記取付部に取り付けられることを特徴とする請求項２または３記載の測量器具取付装置。
【請求項５】
鉄塔に設けられた荷吊り用プレートであって鉄板から成り貫通孔を有するものに取り付け可能な測量ターゲット器具であって、基部と、挿入部と、保持部材と、磁石と、ターゲットとを有し、前記基部は把持部を有し、前記挿入部は前記貫通孔に嵌合可能な径を有して前記基部に設けられ、前記保持部材は前記挿入部を前記貫通孔に嵌合したとき前記荷吊り用プレートの縁部を弾力により着脱可能に押さえるよう前記基部に取り付けられ、前記磁石は前記挿入部を前記貫通孔に嵌合して前記荷吊り用プレートの縁部を前記保持部材で押さえたとき前記荷吊り用プレートに吸着するよう前記基部の前記挿入部と前記保持部材との間に設けられ、前記ターゲットが前記基部に設けられている２つの測量ターゲット器具を、それぞれ、前記挿入部を前記貫通孔に嵌合し、前記荷吊り用プレートの縁部を前記保持部材により押さえ、前記磁石を前記荷吊り用プレートに吸着させて、２つの鉄塔の各荷吊り用プレートに取り付け、
観測点に光波測定器を設置して、この光波測定器が発光する変調光波を前記ターゲットにより反射し、反射する変調光波を前記光波測定器で受光して、前記光波測定器により前記観測点と各ターゲットとの間の距離および前記観測点と各ターゲットとのなす角度を測定し、前記距離および角度から各ターゲット間の距離を求めることを、
特徴とする鉄塔測量方法。
【請求項６】
２本の鉄製のアームの各一端側を接合し、各他端側を開いて成る電線支持部を有する鉄塔に取付け可能な測量器具取付装置であって、基板と、２つのガイド板と、磁石と、取付部と、ターゲットとを有し、各ガイド板は前記基板の取付面に垂直の状態で前記取付面に沿って回転可能に設けられ、前記磁石は各ガイド板の外側面に設けられ、前記取付部は前記基板に設けられ、前記請求項１記載の測量ターゲット器具が前記取付部に取り付けられている２つの測量器具取付装置を、それぞれ、前記基板が各アームの上で支持され、各ガイド板が各アームの対向面に沿い、前記磁石が各アームに吸着するように２つの鉄塔に取り付け、
観測点に光波測定器を設置して、この光波測定器が発光する変調光波を前記ターゲットにより反射し、反射する変調光波を前記光波測定器で受光して、前記光波測定器により前記観測点と各ターゲットとの間の距離および前記観測点と各ターゲットとのなす角度を測定し、前記距離および角度から各ターゲット間の距離を求めることを、
特徴とする鉄塔測量方法。
【発明の詳細な説明】
【０００１】
【発明の属する技術分野】
本発明は、鉄塔に取り付け可能な測量ターゲット器具、測量器具取付装置およびそれらを用いた鉄塔測量方法に関する。
【０００２】
【従来の技術】
従来の測量ターゲット器具および鉄塔測量方法として、特公平７−８５０１６号公報に示す技術がある。すなわち、再帰性反射シートを利用した測量ターゲットを送電用鉄塔の電線支持点付近に取り付け、光波測定器により観測点と測量ターゲットの測点との間の距離を測定する技術である。
【０００３】
【発明が解決しようとする課題】
近年、既設の送電線用鉄塔の補修、点検等を充実させて既設備の延命化を図ることが要求されている。電線張替え等の送電設備の改良工事には、電線支持点間の測量を行う必要があるが、従来の測量ターゲット器具を送電線用鉄塔に取り付けるには、作業の安全のため、作業停電を行う必要がある。しかしながら、電気の需要を考慮すると、容易に作業停電を行うことはできないという問題点があった。
【０００４】
本発明は、このような従来の問題点に着目してなされたもので、作業停電を行わずに電線支持点間の測量を可能にする測量ターゲット器具、測量器具取付装置および鉄塔測量方法を提供することを目的としている。
【０００５】
【課題を解決するための手段】
上記目的を達成するために、請求項１の本発明に係る測量ターゲット器具は、鉄塔に設けられた荷吊り用プレートであって鉄板から成り貫通孔を有するものに取り付け可能な測量ターゲット器具であって；基部と、挿入部と、保持部材と、磁石と、ターゲットとを有し；前記基部は把持部を有し；前記挿入部は前記貫通孔に嵌合可能な径を有して前記基部に設けられ；前記保持部材は前記挿入部を前記貫通孔に嵌合したとき前記荷吊り用プレートの縁部を弾力により着脱可能に押さえるよう前記基部に取り付けられ；前記磁石は前記挿入部を前記貫通孔に嵌合して前記荷吊り用プレートの縁部を前記保持部材で押さえたとき前記荷吊り用プレートに吸着するよう前記基部の前記挿入部と前記保持部材との間に設けられ；前記ターゲットは前記基部に設けられていることを、特徴とする。
【０００６】
前記ターゲットは基部に挿入部の挿入方向と同一の方向で設けられていても、挿入方向に垂直の方向で設けられていても、他の方向で設けられていてもよい。ターゲットは、反射面に複数の三面体キューブコーナーレンズ素子を有する再帰性反射シートから成ることが好ましい。
【０００７】
請求項１の本発明に係る測量ターゲット器具は、鉄塔の荷吊り用プレートに取り付けるとき、作業棒を用いて把持部を掴んで支持し、挿入部を荷吊り用プレートの貫通孔に嵌合し、荷吊り用プレートの縁部を保持部材により押さえ、磁石を荷吊り用プレートに吸着させる。これにより、鉄塔に安全かつ容易に取り付けることができ、光波測定器により観測点とターゲットの測点との間の距離および観測点と２つのターゲットとのなす角度を測定することができる。請求項１の本発明に係る測量ターゲット器具は、作業棒を用いて鉄塔に取り付けることができるので、作業停電を行わずに電線支持点間の測量を可能にする。
【０００８】
請求項２の本発明に係る測量器具取付装置は、２本の鉄製のアームの各一端側を接合し、各他端側を開いて成る電線支持部を有する鉄塔に取付け可能な測量器具取付装置であって；基板と、２つのガイド板と、磁石と、取付部とを有し；各ガイド板は前記基板の取付面に垂直の状態で前記取付面に沿って回転可能に設けられ；前記磁石は各ガイド板の外側面に設けられ；前記取付部は測量ターゲット器具を取り付け可能に前記基板に設けられていることを、特徴とする。
【０００９】
請求項２の本発明に係る測量器具取付装置は、２本の鉄製のアームの各一端側を接合し、各他端側を開いて成る電線支持部を有する鉄塔に取付けられる。このような鉄塔に取り付けるとき、作業棒で掴んで支持し、基板が各アームの上で支持され、各ガイド板が各アームの対向面に沿い、磁石が各アームに吸着するようにアームに取り付ける。このとき、各ガイド板が各アームの対向面に沿って吸着するため、取付部がアームの定位置に位置付けられ、測点を定位置に設定することができる。このように、鉄塔に安全かつ容易に取り付けることができるとともに、光波測定器により観測点と測量ターゲット器具の測点との間の距離および観測点と２つの測点とのなす角度を精密に測定することができる。請求項２の本発明に係る測量器具取付装置は、鉄塔が荷吊り用プレートを備えていない場合にも、作業棒を用いて測量ターゲット器具の鉄塔への取付けを可能にするので、作業停電を行わずに電線支持点間の測量を可能にする。
【００１０】
請求項３の本発明に係る測量器具取付装置は、２本の鉄製のアームの各一端側を接合し、各他端側を開いて成る電線支持部を有する鉄塔に取付け可能な測量器具取付装置であって；基板と、２つのガイド板と、連結部材と、磁石と、取付部とを有し；各ガイド板は前記基板の取付面に垂直の状態で前記取付面に沿って回転可能に設けられ；前記連結部材は前記取付面に平行に伸び、各ガイド板の回転中心から互いに反対方向に等距離となる位置で各ガイド板を互いに平行に配置可能な間隔をあけて各ガイド板に回転可能に取り付けられ；前記磁石は各ガイド板の外側面に設けられ；前記取付部は測量ターゲット器具を取り付け可能に前記基板に設けられていることを、特徴とする。
【００１１】
請求項３の本発明に係る測量器具取付装置は、２本の鉄製のアームの各一端側を接合し、各他端側を開いて成る電線支持部を有する鉄塔に取付けられる。このような鉄塔に取り付けるとき、作業棒で掴んで支持し、基板が各アームの上で支持され、各ガイド板が各アームの対向面に沿い、磁石が各アームに吸着するようにアームに取り付ける。このとき、各ガイド板は、連結部材により連結されているため、互いに平行な状態から等角度で互いに反対方向に回転する。これにより、各ガイド板が各アームの対向面に対してずれることなく吸着するため、取付部がアームの定位置に確実に位置付けられ、測点を定位置に正確に設定することができる。このように、鉄塔に安全かつ容易に取り付けることができるとともに、光波測定器により観測点とターゲットの測点との間の距離および観測点と２つのターゲットとのなす角度をより精密に測定することができる。請求項３の本発明に係る測量器具取付装置は、鉄塔が荷吊り用プレートを備えていない場合にも、作業棒を用いて測量ターゲット器具の鉄塔への取付けを可能にするので、作業停電を行わずに電線支持点間の測量を可能にする。
【００１２】
請求項４の本発明に係る測量器具取付装置は、請求項２または３の測量器具取付装置において、請求項１記載の測量ターゲット器具を有し、前記取付部は取付用貫通孔を有し、前記挿入部は前記取付用貫通孔に嵌合されて、前記測量ターゲット器具が前記取付部に取り付けられることを特徴とする。
【００１３】
請求項４の本発明に係る測量器具取付装置は、請求項１の測量ターゲット器具を利用して、請求項２または３の測量器具取付装置と同様の作用、効果をもたらすことができる。
【００１４】
請求項５の本発明に係る鉄塔測量方法は、請求項１の測量ターゲット器具の２つを、それぞれ、前記挿入部を前記貫通孔に嵌合し、前記荷吊り用プレートの縁部を前記保持部材により押さえ、前記磁石を前記荷吊り用プレートに吸着させて、２つの鉄塔の各荷吊り用プレートに取り付け；観測点に光波測定器を設置して、この光波測定器が発光する変調光波を前記ターゲットにより反射し、反射する変調光波を前記光波測定器で受光して、前記光波測定器により前記観測点と各ターゲットとの間の距離および前記観測点と各ターゲットとのなす角度を測定し、前記距離および角度から各ターゲット間の距離を求めることを、特徴とする。
【００１５】
請求項５の本発明に係る鉄塔測量方法では、作業棒を用いて請求項１の測量ターゲット器具を鉄塔の荷吊り用プレートに安全かつ容易に取り付けることができるので、作業停電を行わずに光波測定器により、荷吊り用プレート付近にある電線支持点間の測量を容易に行うことができる。
【００１６】
請求項６の本発明に係る鉄塔測量方法は、請求項２の測量器具取付装置であってターゲットが前記取付部に取り付けられている測量器具取付装置の２つを、それぞれ、前記基板が各アームの上で支持され、各ガイド板が各アームの対向面に沿い、前記磁石が各アームに吸着するように２つの鉄塔に取り付け；観測点に光波測定器を設置して、この光波測定器が発光する変調光波を前記ターゲットにより反射し、反射する変調光波を前記光波測定器で受光して、前記光波測定器により前記観測点と各ターゲットとの間の距離および前記観測点と各ターゲットとのなす角度を測定し、前記距離および角度から各ターゲット間の距離を求めることを、特徴とする。
【００１７】
請求項６の本発明に係る鉄塔測量方法では、鉄塔が荷吊り用プレートを備えていない場合にも、作業棒を用いて、請求項２の測量器具取付装置であってターゲットが取付部に取り付けられているものを鉄塔に安全かつ容易に取り付けることができるので、作業停電を行わずに光波測定器により、アーム先端付近にある電線支持点間の測量を容易かつ精密に行うことができる。
【００１８】
【発明の実施の形態】
以下、図面に基づき本発明の実施の形態について説明する。
図１〜図６は、本発明の実施の形態を示している。
電線張替え等の送電設備の改良工事には、送電線用鉄塔１の電線支持点２の間の測量を行う必要がある（図６参照）。鉄塔１に荷吊り用プレート３が設けられている場合には、図５（Ａ），（Ｂ）に示すように、測量ターゲット器具１０を荷吊り用プレート３に取り付けて測量を行う。荷吊り用プレート３は、鉄板から成り、中央部に貫通孔４（図１（Ａ）参照）を有し、鉄塔１のアーム５の電線支持点２付近に取り付けられている。
【００１９】
図１に示すように、測量ターゲット器具１０は、基部１１と、挿入部１２と、保持部材１３と、ターゲット１４と、磁石１５とを有する。基部１１は、板状であって、正方形状部１１ａと、把持部１１ｂと、取付部１１ｃとを一体的に有する。把持部１１ｂは正方形状部１１ａと同一平面上に配置され、取付部１１ｃは正方形状部１１ａと把持部１１ｂとに垂直に設けられている。把持部１１ｂには、絶縁性の作業棒（活線棒）で掴みやすいよう円形孔１６ａと細長い孔１６ｂとが形成されている。絶縁性の作業棒（活線棒）６（図４および図５参照）は、一端の操作部を操作することにより他端の把持具を開閉可能となっている。取付部１１ｃには、固定用の４つの取付孔１７と保持部材取付け用の２つの取付孔１８が形成されている。挿入部１２は、貫通孔４に嵌合可能な径を有し、把持部１１ｂの反対側で取付部１１ｃに垂直に設けられている。挿入部１２は、取付部１１ｃ側から先端にかけて傾斜して次第に細くなっている。
【００２０】
保持部材１３は、板バネから成り、挿入部１２を貫通孔４に嵌合したとき荷吊り用プレート３の縁部３ａを弾力により着脱可能に押さえるよう、取付部１１ｃの保持部材取付け用の２つの取付孔１８にビスで取り付けられている。
【００２１】
磁石１５は、挿入部１２を貫通孔４に嵌合して荷吊り用プレート３の縁部３ａを保持部材１３で押さえたとき荷吊り用プレート３に吸着するよう、取付部１１ｃの挿入部１２と保持部材１３との間に取付部１１ｃの平面より突出しない高さで埋め込んで設けられている。
【００２２】
ターゲット１４は、反射面に複数の三面体キューブコーナーレンズ素子を有する再帰性反射シートから成る。再帰性反射シートには、商品名「スコッチライト印反射シート・ダイヤモンド・グレード・３９７０Ｇ（住友スリーエム株式会社製）」が好適である。再帰性反射シートは、広角性を有し、その面に対して垂直の方向からの光だけでなく、垂直方向から傾斜した方向からの光であっても、光を受けた方向に戻す。
【００２３】
図３に示すように、ターゲット１４は、再帰性反射シートの反射面の周縁部に赤色の視準枠１４ａを有し、この視準枠の左右および上部に方向性およびセンター標示１４ｂを有する。視準枠１４ａは、肉眼や望遠鏡などで測量ターゲット１４の確認を容易にするための枠である。方向性およびセンター標示１４ｂは、広角性が最大となる測量ターゲット１４の向きを知るとともに、測点の位置を確定するため測量ターゲット１４の中心を示す標示である。ターゲット１４は、さらに視準枠１４ａの内側に十字の照準１４ｃを有する。ターゲット１４は、正方形状部１１ａの両面に張り付けられている。
【００２４】
鉄塔１には、数種類の型式のものがあり、古いものから新しいものまで種々混在している。鉄塔１に荷吊り用プレート３が設けられていない場合には、測量ターゲット器具１０を取り付けた測量器具取付装置２０を鉄塔１のアーム５に取り付けて測量を行う（図５（Ａ），（Ｂ）参照）。鉄塔１は、２本の鉄製のアーム５の各一端側を接合し、各他端側を開いて成る電線支持部を有する。
【００２５】
図２に示すように、測量器具取付装置２０は、基板２１と、２つのガイド板２２と、連結部材２３と、磁石２４と、取付部２５とを有する。基板２１は、中央を挟んで両側にそれぞれ複数の貫通孔２１ａを有する。各貫通孔２１ａは、基板２１の長さ方向に１列に配置されている。各ガイド板２２は縁の中央部に雌ねじ孔２２ａを有し、雄ねじ２６が基板２１のいずれかの貫通孔２１ａに挿入されて雌ねじ孔２１ａと螺合している。これにより、各ガイド板２２は、基板２１の取付面２１ｂに垂直の状態で取付面２１ｂに沿って回転可能に設けられている。
【００２６】
連結部材２３は、両端に貫通孔２３ａを有し、さらにその間の一端寄りに複数の貫通孔２３ａを有している。連結部材２３は、各ガイド板２２の反対側で取付面２１ｂに平行に伸びている。各ガイド板２２は、回転中心ａから互いに反対方向に等距離となる位置に雌ねじ孔２２ｂを有している。連結部材２３は、雄ねじ２７が貫通孔２３ａに挿入されて雌ねじ孔２２ｂと螺合して、各ガイド板２２に回転可能に取り付けられている。連結部材２３は、各ガイド板２２への取付位置の間に各ガイド板２２を互いに平行に配置可能な間隔ｂをあけるよう各ガイド板２２に取り付けられている。連結部材２３と各ガイド板２２との間および連結部材２３と雄ねじ２７との間には、間隙保持部材２８，２９が雄ねじ２７を挿入されて設けられている。
【００２７】
各ガイド板２２は、基板２１の他の貫通孔２１ａに取り付けることにより、各ガイド板２２の間隔を変えることができる。この場合、連結部材２３は、各ガイド板２２への取付位置の間に各ガイド板２２を互いに平行に配置可能な間隔をあけるよう、他の貫通孔２３ａに雄ねじ２７が挿入されて各ガイド板２２に取り付けられる。
【００２８】
磁石２４は、鉄塔１の各アーム５の対向面５ａ（図５参照）に吸着するよう、各ガイド板２２の外側面にその面より突出しない高さで埋め込んで設けられている。基板２１には、取付方向を示す矢印３０が表示されている。
【００２９】
取付部２５は、板状であって、基板２１の各ガイド板２２と同じ側の中央に垂直に取り付けられている。取付部２５は、各ガイド板２２を平行に配置したとき、各ガイド板２２に垂直で各ガイド板２２から等距離となる基板２１の中央の位置に取り付けられている。取付部２５は、荷吊り用プレート３の貫通孔４（図１参照）と同じ大きさの貫通孔２５ａを有するとともに、測量ターゲット器具１０の取付部１１ｃの固定用の４つの取付孔１７に対応する４つの取付孔３１を有している。測量ターゲット器具１０は、挿入部１２を取付部２５の貫通孔２５ａに嵌合させて４つの取付孔３１でビスにより取付部２５に固定されている。
【００３０】
測量ターゲット器具１０を用いた鉄塔測量方法では、まず、測量ターゲット器具１０の２つを、それぞれ２つの鉄塔１の各荷吊り用プレート３に取り付ける。図４（Ｂ）に示すように、作業棒６を用いて測量ターゲット器具１０の把持部１１ｂを掴んで支持し、挿入部１２を貫通孔４に嵌合し、荷吊り用プレート３の縁部３ａを保持部材１３により押さえ、磁石１５を荷吊り用プレート３に吸着させて、測量ターゲット器具１０を各荷吊り用プレート３に取り付ける。
【００３１】
図６に示すように、観測点Ａ，Ｂに光波測定器７を設置して、この光波測定器７が発光する変調光波をターゲット１４により反射し、反射する変調光波を光波測定器７で受光する。こうして、光波測定器７により観測点Ａ，Ｂと各ターゲット１４の測点との間の距離および観測点Ａ，Ｂと各ターゲット１４の測点とのなす角度を測定し、距離および角度から余弦定理を用いて各ターゲット１４間の距離を求めることができる。なお、図４（Ｂ），図５（Ｂ）に示すように、ターゲット１４の測点と電線支持点２との距離は既知のため、その距離を補正して、２つの鉄塔１の電線支持点２の間の正確な距離を求めることができる。
【００３２】
測量ターゲット器具１０を用いた鉄塔測量方法では、作業棒６を用いて測量ターゲット器具１０を鉄塔１の荷吊り用プレート３に安全かつ容易に取り付けることができるので、作業停電を行わずに光波測定器７により、荷吊り用プレート３付近にある電線支持点２の間の測量を容易に行うことができる。
【００３３】
測量器具取付装置２０を用いた鉄塔測量方法では、まず、測量器具取付装置２０の２つを、それぞれ２つの鉄塔１に取り付ける。図５（Ｂ）に示すように、作業棒６を用いて各測量器具取付装置２０を、基板２１が各アーム５の上で支持され、各ガイド板２２が各アーム５の対向面５ａに沿い、磁石２４が各アーム５に吸着するように各鉄塔１に取り付ける。図６に示すように、観測点Ａ，Ｂに光波測定器７を設置して、前述のようにして各ターゲット１４の間の距離を求め、補正により２つの鉄塔１の電線支持点２の間の距離を求めることができる。
【００３４】
測量器具取付装置２０を用いた鉄塔測量方法では、鉄塔１が荷吊り用プレート３を備えていない場合にも、作業棒６を用いて、測量器具取付装置２０を鉄塔１に安全かつ容易に取り付けることができるので、作業停電を行わずに光波測定器７により、アーム５先端付近にある電線支持点２の間の測量を容易かつ精密に行うことができる。
【００３５】
次に作用を説明する。
測量ターゲット器具１０を鉄塔１の荷吊り用プレート３に取り付けるとき、作業棒６を用いて把持部１１ｂを掴んで支持し、挿入部１２を荷吊り用プレート３の貫通孔４に嵌合し、荷吊り用プレート３の縁部３ａを保持部材１３により押さえ、磁石１５を荷吊り用プレート３に吸着させる。これにより、鉄塔１に安全かつ容易に取り付けることができ、光波測定器７により観測点Ａ，Ｂとターゲット１４の測点との間の距離および観測点Ａ，Ｂと２つのターゲット１４の測点とのなす角度を測定することができる。測量ターゲット器具１０は、作業棒６を用いて鉄塔１に取り付けることができるので、作業停電を行わずに電線支持点２の間の測量を可能にする。
【００３６】
測量器具取付装置２０は、２本の鉄製のアーム５の各一端側を接合し、各他端側を開いて成る電線支持部を有する鉄塔１に取付けられる。このような鉄塔１に取り付けるとき、作業棒６で掴んで支持し、基板２１が各アーム５の上で支持され、各ガイド板２２が各アーム５の対向面５ａに沿い、磁石２４が各アーム５に吸着するように、アーム５に取り付ける。このとき、各ガイド板２２は、連結部材２３により連結されているため、互いに平行な状態から等角度で互いに反対方向に回転する。これにより、各ガイド板２２が各アーム５の対向面に対してずれることなく対向面に沿って所定の位置に吸着する。このため、取付部２５がアーム５の定位置に確実に位置付けられ、測点を定位置に正確に設定することができる。
【００３７】
このように、鉄塔１に安全かつ容易に取り付けることができるとともに、光波測定器７により観測点Ａ，Ｂと測点との間の距離および観測点Ａ，Ｂと２つの測点とのなす角度をより精密に測定することができる。測量器具取付装置２０は、鉄塔１が荷吊り用プレート３を備えていない場合にも、作業棒６を用いて測量ターゲット器具１０の鉄塔１への取付けを可能にするので、作業停電を行わずに電線支持点２の間の測量を可能にする。
【００３８】
【発明の効果】
本発明に係る測量ターゲット器具、測量器具取付装置および鉄塔測量方法では、ターゲットを鉄塔に安全かつ容易に取り付けることができ、作業停電を行わずに電線支持点間の測量を可能にする。
【図面の簡単な説明】
【図１】本発明の実施の形態の測量ターゲット器具を示す（Ａ）正面図、（Ｂ）平面図、（Ｃ）右側面図である。
【図２】本発明の実施の形態の測量器具取付装置を示す（Ａ）正面図、（Ｂ）平面図、（Ｃ）右側面図である。
【図３】図１の測量ターゲット器具のターゲットを示す正面図である。
【図４】図１の測量ターゲット器具を鉄塔に取り付ける状態を示す（Ａ）正面図、（Ｂ）平面図である。
【図５】図２の測量器具取付装置を鉄塔に取り付ける状態を示す（Ａ）正面図、（Ｂ）平面図である。
【図６】本発明の実施の形態の鉄塔測量方法の説明図である。
【符号の説明】
１  送電線用鉄塔
２  電線支持点
３  荷吊り用プレート
４  貫通孔
５  アーム
１０  測量ターゲット器具
１１  基部
１２  挿入部
１３  保持部材
１４  ターゲット
１５  磁石
２０  測量器具取付装置
２１  基板
２２  ガイド板
２３  連結部材
２４  磁石
２５  取付部
【図１】
0004266064.tif 000002
【図２】
0004266064.tif 000003
【図３】
0004266064.tif 000004
【図４】
0004266064.tif 000005
【図５】
0004266064.tif 000006
【図６】
0004266064.tif 000007